(57)【要約】【課題】メニュー構造を採用した場合における、情報がメニュー項目ごとに別々に表示されることからくる不便さ（例えば、別のメニュー項目の情報を同時に閲覧できない）を解消する。【解決手段】情報を一連のリスト構造（Ａ１…Ａ５、Ｂ１…Ｂ４、Ｂ５、Ｂ６、Ｃ１…Ｃ５、Ｄ１…（Ａ〜Ｄはグループを示す））とし、選択されたグループＣにおける所定の順番（先頭）にある特定項目Ｃ１から所定範囲内（前３行から後４行）のリスト情報（Ｂ５〜Ｃ５）を表示する。グループＣの先頭項目が特定項目なので、グループＢに対応する項目も表示される。よって、別々のグループ（グループＢ、Ｃ）に対応する項目を同時に表示できる。【選択図】　図８
2004021893.tif 000002
【特許請求の範囲】
【請求項１】
個々の項目がグループに対応付けられ、前記個々の項目に順番が付けられているリスト情報を記録するリスト情報記録手段と、
前記グループを選択するグループ選択手段と、
選択されたグループに対応し、前記選択されたグループにおける所定の順番にある特定項目から所定範囲内のリスト情報を読出リスト情報として読み出すリスト情報読出手段と、
を備えた携帯情報通信端末。
【請求項２】
請求項１に記載の携帯情報通信端末であって、
前記リスト情報読出手段が読み出した読出リスト情報を表示するリスト表示手段と、
前記選択されたグループを表示するグループ表示手段と、
を備えた携帯情報通信端末。
【請求項３】
請求項２に記載の携帯情報通信端末であって、
前記特定項目を他の項目と識別可能に表示する特定項目表示手段、
を備えた携帯情報通信端末。
【請求項４】
請求項１ないし３のいずれか一項に記載の携帯情報通信端末であって、
前記所定の順番はグループ内の先頭である携帯情報通信端末。
【請求項５】
請求項３または４に記載の携帯情報通信端末であって、
識別可能に表示される項目を変更する識別可能項目変更手段を備え、
前記リスト表示手段は表示する項目の位置を一定に保つ、
携帯情報通信端末。
【請求項６】
請求項５に記載の携帯情報通信端末であって、
前記識別可能に表示される項目が前記リスト表示手段の端部に位置する場合に、前記識別可能項目変更手段により識別可能に表示される項目が前記リスト表示手段の端部に位置し続けるように前記リスト情報読出手段が前記リスト情報を読み出す携帯情報通信端末。
【請求項７】
請求項３または４に記載の携帯情報通信端末であって、
前記特定項目を変更する特定項目変更手段を備え、
前記リスト表示手段は前記特定項目の表示位置を一定に保つ、
携帯情報通信端末。
【請求項８】
請求項５または６に記載の携帯情報通信端末であって、
前記グループ表示手段は前記識別可能に表示される項目に対応するグループを表示する、
携帯情報通信端末。
【請求項９】
請求項７に記載の携帯情報通信端末であって、
前記グループ表示手段は前記特定項目に対応するグループを表示する、
携帯情報通信端末。
【請求項１０】
請求項３または４に記載の携帯情報通信端末であって、
識別可能に表示される項目を変更する識別可能項目変更手段と、
前記特定項目を変更する特定項目変更手段と
を備え、
前記識別可能項目変更手段と前記特定項目変更手段とは共有部材を共有し、
前記共有部材に対する操作により、前記識別可能項目変更手段または前記特定項目変更手段のいずれを作動させるかが決定される、
携帯情報通信端末。
【請求項１１】
個々の項目がグループに対応付けられ、前記個々の項目に順番が付けられているリスト情報を記録するリスト情報記録処理と、
前記グループを選択するグループ選択処理と、
選択されたグループに対応し、前記選択されたグループにおける所定の順番にある特定項目から所定範囲内のリスト情報を読出リスト情報として読み出すリスト情報読出処理と、
をコンピュータに実行させるためのプログラム。
【請求項１２】
個々の項目がグループに対応付けられ、前記個々の項目に順番が付けられているリスト情報を記録するリスト情報記録処理と、
前記グループを選択するグループ選択処理と、
選択されたグループに対応し、前記選択されたグループにおける所定の順番にある特定項目から所定範囲内のリスト情報を読出リスト情報として読み出すリスト情報読出処理と、
をコンピュータに実行させるためのプログラムを記録したコンピュータによって読み取り可能な記録媒体。
【発明の詳細な説明】
【０００１】
【発明の属する技術分野】
本発明は、携帯電話等の携帯情報通信端末における画面の表示に関する。
【０００２】
【従来の技術】
従来より、携帯電話等の携帯情報通信端末において、インターネットを介して得られた情報等を画面に表示させることがが行なわれている。このとき、情報量が多く、情報をそのまま表示させたのでは、表示させたい情報の一部しか画面に表示できないことがある。そこで、メニュー構造を採用して、表示させたい情報を表示できるようにする。
【０００３】
従来技術におけるメニュー構造を採用した場合の情報の表示態様を図１９を参照して説明する。まず、携帯電話の表示画面３００にはメニュー３１０が表示されている。メニュー３１０には、Ａ、Ｂ、Ｃの三種類のメニュー項目が表示されており、いずれか一つを選択するようになっている。図１９の例では、“Ｂ”にカーソルをあわせて選択している。メニュー項目を選択すると、そのメニュー項目に相当する情報が表示される。メニュー項目“Ｂ”を選択すると、Ｂ１、Ｂ２、Ｂ３が表示画面３００に表示される。なお、メニュー項目“Ａ”を選択するとＡ１、Ａ２、Ａ３が、メニュー項目“Ｃ”を選択するとＣ１、Ｃ２、Ｃ３、Ｃ４が表示画面３００に表示される。
【０００４】
情報は、Ａ１、Ａ２、Ａ３、Ｂ１、Ｂ２、Ｂ３、Ｃ１、Ｃ２、Ｃ３、Ｃ４の１０個がある一方で、表示画面３００には４行程度の情報しか表示できない。しかし、メニュー構造を採用すれば、表示させたい情報を表示できる。例えば、情報Ｂ２を表示させたい場合は、メニュー項目“Ｂ”を選択すればよい。
【０００５】
【発明が解決しようとする課題】
しかしながら、メニュー構造を採用した場合、情報が何個あるかがわかりにくい。メニュー項目を選択して情報を表示させ、その総和（例、３＋３＋４＝１０）を計算すればわかるが手間がかかる。
【０００６】
さらに、異なったメニュー項目に対応する情報を同時に表示することができない。例えば、情報Ａ３と情報Ｂ１とを同時に表示することはできない。
【０００７】
このように、メニュー構造を採用した場合は、情報がメニュー項目ごとに別々に表示されることからくる不便さがある。
【０００８】
そこで、本発明は、メニュー構造を採用した場合における、情報がメニュー項目ごとに別々に表示されることからくる不便さを解消することを課題とする。
【０００９】
【課題を解決するための手段】
本発明は携帯情報通信端末に関する。本発明に係る携帯情報通信端末は、リスト情報記録手段、グループ選択手段、リスト情報読出手段を備える。
【００１０】
リスト情報記録手段は、個々の項目がグループに対応付けられ、個々の項目に順番が付けられているリスト情報を記録する。グループ選択手段は、グループを選択する。リスト情報読出手段は、選択されたグループに対応し、選択されたグループにおける所定の順番にある特定項目から所定範囲内のリスト情報を読出リスト情報として読み出す。
【００１１】
上記のように構成された発明によれば、リスト情報読出手段が、選択されたグループにおける所定の順番にある特定項目から所定範囲内のリスト情報を読出リスト情報として読み出す。特定項目から所定範囲内のリスト情報は、別々のグループに対応する項目が含まれていることが一般的である。よって、別々のグループに対応する項目を同時に表示できる。
【００１２】
【発明の実施の形態】
以下、本発明の実施の形態を図面を参照して説明する。
【００１３】
図１は、本発明を適用した携帯電話機１の外観の構成例を示す図である。
【００１４】
携帯電話機１のほぼ中央には、ほぼ円盤状の回転入力部１４が設けられている。回転入力部１４は、白抜き矢印で示されるように、ほぼ中央の、紙面に対して垂直な回転軸を中心として、時計方向または反時計方向に回転自在に構成されている。ユーザは、回転入力部１４、回転入力部１４の左右にそれぞれ設けられている通話ボタン１５、電源ボタン１６、および、その下方に設けられているテンキー１７を操作し、各種の指令を入力することができる。
【００１５】
図１に示される携帯電話機１においては、ユーザは、ＬＣＤ（Ｌｉｑｕｉｄ　Ｃｒｙｓｔａｌ　Ｄｉｓｐｌａｙ）などにより構成される表示部１３を見ながら、回転入力部１４を回転させたり、或いは、回転入力部１４の上面（平面）の所定の位置を携帯電話機１の内部方向に押下することで、例えば、インターネットを介してダウンロードした本日のニュース等を表示させたものをスクロールできる。
【００１６】
携帯電話機１の正面の上端近傍、および下端近傍には、スピーカ１２とマイクロフォン１８がそれぞれ設けられており、ユーザは、通話するときこれらを利用する。また、携帯電話機１の上端面には、アンテナ１１が筐体から突出した状態で設けられている。
【００１７】
なお、図１に示される、いわゆるストレート型のものだけでなく、携帯電話機１は、表示部１３が設けられる第１の筐体と、回転入力部１４やテンキー１７が設けられる第２の筐体を、ヒンジを介して折り畳み可能に構成するようにしてもよい。
【００１８】
図２乃至図５は、回転入力部１４の構造の例を示す。
【００１９】
図２に示されるように、回転入力部１４は、基本的に、ベース３１、ホルダ３２、スケール３３、ダイヤル本体３４、操作ダイヤル３５、および中央ボタン部材３６から構成される。
【００２０】
ベース３１は、例えば、絶縁性樹脂からなり、略矩形の板形状のものとして形成される。ベース３１の上面の中央には中央ボタン４１が設けられており、その周辺に、周辺ボタン４２Ａ乃至４２Ｄがそれぞれ等間隔で配設されている。ベース３１は、周辺ボタン４２Ａと周辺ボタン４２Ｃを結ぶ線が、図１の携帯電話機１の上下方向の中心線とほぼ平行になるように配置される。従って、周辺ボタン４２Ａは、図１に示される携帯電話機１の上側に位置し、周辺ボタン４２Ｂは、左側に位置する。また、周辺ボタン４２Ｃは、図１に示される携帯電話機１の下側に位置し、周辺ボタン４２Ｄは、右側に位置する（以下、適宜、周辺ボタン４２Ａを上ボタン４２Ａと、周辺ボタン４２Ｂを左ボタン４２Ｂと、周辺ボタン４２Ｃを下ボタン４２Ｃと、周辺ボタン４２Ｄを右ボタン４２Ｄと、それぞれ称する）。
【００２１】
上動規制部材４３には、ベース３１の中央側に延びる爪が設けられており、その爪により、ホルダ３２の上側への移動が規制される。上動規制部材４３の両側には、やや離間して、回動規制部材４４Ａ、および４４Ｂが設けられており、回動規制部材４４Ａ、および４４Ｂにより、ホルダ３２の回動が規制される。これらの上動規制部材４３、回動規制部材４４Ａ、および４４Ｂにより、ホルダ規制部５１Ａが構成され、同様のもの（ホルダ規制部５１Ｂ，５１Ｃ，５１Ｄ）がベース３１の４隅のうちの他の３隅にそれぞれ配置される。
【００２２】
ホルダ３２は、中央に孔を有する絶縁性ディスクの形状とされ、上面の中央部には、ダイヤル本体３４等を回転自在に保持するダイヤル保持筒６１が、孔の周辺から上面側（図２において上側）に突出した状態で形成されている。従って、ダイヤル保持筒６１の孔の中心の軸が、ダイヤル本体３４等の回転軸となる。
【００２３】
また、ホルダ３２の上面には、導電性を有する弾性材であるブラシ６２Ａ，６２Ｂ、および６２Ｃが配設されており、ブラシ６２Ａ，６２Ｂ、および６２Ｃと、ホルダ３２の上に配置されるスケール３３との電気的な接続の状態の変化を検出することで、回転入力部１４（操作ダイヤル３５）の回転量、および回転方向が検出される。
【００２４】
具体的には、ブラシ６２Ａ、および６２Ｂが配設される径方向の位置は、スケール３３がホルダ３２の上に配置されたとき、スケール３３のスリット７２と接触する位置とされ、回転入力部１４が回転操作され、それに伴ってスケール３３が回転されたとき、ブラシ６２Ａ、および６２Ｂとスケール３３との間では、接触（スリット７２とスリット７２の間の位置）、非接触（スリット７２の位置）が繰り返されることとなる。
【００２５】
一方、ブラシ（アースブラシ）６２Ｃは、スケール３３がホルダ３２の上に配置されたとき、スケール３３と常時接する位置に配設され、スケール３３が回転されたとき、ブラシ６２Ａ、または６２Ｂとの間で、スケール３３を介して導通、または非導通を繰り返すこととなる。
【００２６】
従って、ブラシ６２Ａ、または６２Ｂと、ブラシ６２Ｃの間の導通状態の変化（ブラシ６２Ａ、または６２Ｂとスケール３３の接触、非接触の繰り返し）に対応して発生されるパルスの数に基づいて、回転入力部１４の回転量を算出することができる。
【００２７】
また、ブラシ６２Ａとブラシ６２Ｂを周方向に若干ずらして配設することにより、回転入力部１４の回転方向を検出することができる。すなわち、図１の状態において回転入力部１４が反時計方向に回転された場合、ブラシ６２Ａとスケール３３が接触することにより発生されるパルスの立ち上がり（または立ち下がり）が、ブラシ６２Ｂとスケール３３が接触することにより発生されるパルスの立ち上がり（または立ち下がり）より、ずれている分だけ、早いタイミングで検出されることとなる。
【００２８】
また、反対に、回転入力部１４が時計方向に回転された場合、ブラシ６２Ｂとスケール３３が接触することにより発生されるパルスの立ち上がり（または立ち下がり）が、ブラシ６２Ａとスケール３３が接触することにより発生されるパルスの立ち上がり（または立ち下がり）より、早いタイミングで検出されることとなる。
【００２９】
従って、このように現れる、パルスの立ち上がり（または立ち下がり）のタイミングのずれに基づいて、回転入力部１４の回転方向が検出される。
【００３０】
ホルダ３２の周縁部には、ホルダ規制部５１Ａ乃至５１Ｄに対応して被規制部材６３Ａ乃至６３Ｄが形成されており、ホルダ３２がベース３１上に配置されたとき、この被規制部材６３Ａ乃至６３Ｄの変移（回転および離脱）が、ホルダ規制部５１Ａ乃至５１Ｄによりそれぞれ規制される。
【００３１】
なお、ホルダ３２の裏面の、周辺ボタン４２Ａ乃至４２Ｄに対応する位置には、図３に示されるように、ボタン押下用突起部１０１Ａ乃至１０１Ｄが設けられている。従って、図１に示される携帯電話機１において、回転入力部１４の上側が紙面と垂直な方向に押下されたとき、ボタン押下用突起部１０１Ａにより上ボタン４２Ａ（周辺ボタン４２Ａ）が押下され、回転入力部１４の左側が押下されたとき、ボタン押下用突起部１０１Ｂにより左ボタン４２Ｂ（周辺ボタン４２Ｂ）が押下される。同様に、回転入力部１４の下側が押下されたとき、ボタン押下用突起部１０１Ｃにより下ボタン４２Ｃ（周辺ボタン４２Ｃ）が押下され、回転入力部１４の右側が押下されたとき、ボタン押下用突起部１０１Ｄにより右ボタン４２Ｄ（周辺ボタン４２Ｄ）が押下される。
【００３２】
ダイヤル本体保持部材６４Ａ乃至６４Ｄは、ホルダ３２の周縁部に、それぞれ所定の距離だけ離間し、上面側（図中上側）に突出した状態で形成されている。ダイヤル本体保持部材６４Ａ乃至６４Ｄの上端部には、ホルダ３２の中心側に延びる爪が形成されており、この爪により、ダイヤル本体３４の離脱が制限されるようになされている。
【００３３】
また、ホルダ３２の上面には、クリック感用突起部６５が設けられており、回転入力部１４が回転されたとき、このクリック感用突起部６５と、ダイヤル本体３４のクリック感用凹凸部８３により、ユーザに対するクリック感が発生される。
【００３４】
スケール３３の中央部には、ダイヤル保持筒６１が挿嵌される孔７１が形成され、その周辺部には、上述したように、スケール３３の周縁部近傍に、所定の角度ピッチで放射状に多数のスリット７２が形成されている。スケール３３は、図４に示されるように、ダイヤル本体３４の裏面に固定され、ホルダ３２の上に配置される。
【００３５】
ダイヤル本体３４の中心には、ダイヤル保持筒６１が挿嵌される孔８１が形成され、また、ダイヤル本体３４の上面には、伝動突起部８２が形成されている。伝動突起部８２は、操作ダイヤル３５の裏面に形成される伝動凹部９２に嵌合し、操作ダイヤル３５の回転力をダイヤル本体３４に伝動する。
【００３６】
また、ダイヤル本体３４の裏面の周縁部には、図４に示されるような波状のクリック感用凹凸部８３が、その全周に渡って形成されており、上述したように、その凹部にクリック感用突起部６５が遊嵌される。
【００３７】
操作ダイヤル３５の中央には、中央ボタン部材３６が挿嵌される孔９１が形成され、また、操作ダイヤル３５の裏面には、ダイヤル本体３４の伝動突起部８２が嵌合される伝動凹部９２が形成されている。中央ボタン部材３６は、図２においては円筒状に図示されているが、球形でもよい。なお、操作ダイヤル３５の上面には、回転操作時に適度な摩擦を生じて操作性を良くするため、放射状に延びる多数の溝９３が形成されている。ただし、溝９３は無くてもよい。
【００３８】
以上のような各部材から、図５に示されるような回転入力部１４が構成され、操作ダイヤル３５の上面が露出した状態で携帯電話機１に組み込まれる。
【００３９】
図５に示される回転入力部１４において、ユーザは、操作ダイヤル３５の右上方（図１では、上側）を押下することで、上ボタン４２Ａを押すことができる。また、操作ダイヤル３５の左下方（図１では、下側）を押下することで、下ボタン４２Ｃを押すことができる。さらに、操作ダイヤル３５の左上方（図１では、左側）を押下することで、左ボタン４２Ｂを押すことができ、操作ダイヤル３５の右下方（図１では、右側）を押下することで、右ボタン４２Ｄを押すことができる。
【００４０】
図６は、本発明を適用した携帯電話機１の内部の構成例を示すハードウェアブロック図である。
【００４１】
制御部１１１は、メモリ１１７のＲＯＭ（Ｒｅａｄ　Ｏｎｌｙ　Ｍｅｍｏｒｙ）１１７Ａに格納されている制御プログラムをＲＡＭ（Ｒａｎｄｏｍ　Ａｃｃｅｓｓ　Ｍｅｍｏｒｙ）１１７Ｂに展開し、展開した制御プログラムに従って、携帯電話機１の全体の動作を制御する。
【００４２】
例えば、制御部１１１は、ユーザからの指示に基づいて、読出リスト情報を読み出すため等のプログラムを起動し、表示部１３の表示範囲を変更する。そして、入力検出部１１５の回転検出部１２１により、回転入力部１４に対する入力が検出されたとき（回転入力部１４が回転されたとき）、制御部１１１は、ＤＳＰ（Ｄｉｇｉｔａｌ　Ｓｉｇｎａｌ　Ｐｒｏｃｅｓｓｏｒ）を制御して、回転入力部１４の回転量や回転方向等を算出し、表示部１３の表示内容を変更する。回転入力部１４に対する入力に応じて、表示部１３の表示内容を変更する制御部１１１の処理については後に詳述する。
【００４３】
ＲＦ（Ｒａｄｉｏ　Ｆｒｅｑｕｅｎｃｙ）部１１２は、アンテナ１１を介して、基地局との間で電波を送受信し、例えば、音声通話モード時において、アンテナ１１で受信されたＲＦ信号を増幅して周波数変換処理およびアナログディジタル変換処理等の所定の処理を施し、得られた音声データをＤＳＰ１１３に出力する。また、ＲＦ部１１２は、ＤＳＰ１１３から音声データが供給されてきたとき、ディジタルアナログ変換処理、および周波数変換処理等の所定の処理を施し、得られた音声信号をアンテナ１１から送信する。
【００４４】
ＤＳＰ１１３は、ＲＦ部１１２から供給されてきた音声データに対して、例えば、スペクトラム逆拡散処理を施し、得られたデータを音声コーデック１１４に出力する。また、ＤＳＰ１１３は、音声コーデック１１４から供給されてきた音声データに対してスペクトラム拡散処理を施し、得られたデータをＲＦ部１１２に出力する。また、ＤＳＰ１１３は、制御部１１１による制御に基づいて、画像の表示を切り替えるための回転量の算出、回転方向の算出等の処理を行う。
【００４５】
音声コーデック１１４は、マイクロフォン１８により集音されたユーザの音声を音声データに変換し、それをＤＳＰ１１３に出力する。また、音声コーデック１１４は、ＤＳＰ１１３から供給されてきた音声データをアナログ音声信号に変換し、対応する音声信号をスピーカ１２から出力する。
【００４６】
入力検出部１１５の回転検出部１２１には、図２のブラシ６２Ａ，６２Ｂ、および６２Ｃが接続されており、回転検出部１２１は、ブラシ６２Ａ、および６２Ｂとスケール３３との接触、非接触の状態を監視し、接触状態の変化に対応するパルスを制御部１１１に出力する。
【００４７】
入力検出部１１５の押下検出部１２２には、図２の中央ボタン４１、および周辺スイッチ４２Ａ乃至４２Ｄが接続されており、押下検出部１２２は、これらのボタンが押下されたとき（回転入力部１４の上面が内部方向に押下されたとき）、それを検出し、対応する信号を制御部１１１に出力する。
【００４８】
制御部１１１には、必要に応じてドライブ２１０が接続され、磁気ディスク２１１、光ディスク２１２、光磁気ディスク２１３、或いは半導体メモリ２１４などが適宜装着され、それから読み出されたコンピュータプログラム（例えば、リスト読出部１１１ａ、カーソル位置決定部１１１ｂ、グループ選択部１４ａ等を実現するためのプログラム）が、必要に応じて制御部１１１にインストールされる。
【００４９】
入力検出部１１６は、携帯電話機１に設けられている通話ボタン１５、電源ボタン１６、およびテンキー１７等の他のボタンからの入力を検出し、対応する信号を制御部１１１に出力する。
【００５０】
図７は、本発明の実施形態にかかる携帯電話機（携帯情報通信端末）１の機能ブロック図である。携帯電話機（携帯情報通信端末）１は、表示部１３、グループ選択部１４ａ、第一スクロール部（識別可能項目変更手段）１４ｂ、第二スクロール部（特定項目変更手段）１４ｃ、リスト情報読出部１１１ａ、カーソル位置決定部１１１ｂ、メモリ１１７を備える。
【００５１】
メモリ１１７は、リスト情報１１７ａを記録する。リスト情報１１７ａの一例を図８に示す。リスト情報１１７ａは、個々の項目Ａ１、Ａ２、…、Ａ５、Ｂ１、Ｂ２、…、Ｂ６、Ｃ１、Ｃ２、…、Ｃ５、Ｄ１、…を有する。個々の項目はグループに対応付けられている。例えば、項目Ａ１、Ａ２、…、Ａ５はグループＡに、項目Ｂ１、Ｂ２、…、Ｂ６はグループＢに、項目Ｃ１、Ｃ２、…、Ｃ５はグループＣに、項目Ｄ１、…はグループＤに対応付けられている。しかも、個々の項目Ａ１、Ａ２、…は順番が付けられている。例えば、項目Ａ１の次は項目Ａ２、項目Ａ２の次は、…、項目Ａ５の次は項目Ｂ１、項目Ｂ１の次は項目Ｂ２、…、項目Ｂ６の次は項目Ｃ１、項目Ｃ１の次は項目Ｃ２、…、項目Ｃ５の次は項目Ｄ１、…となっている。なお、各グループの境界にはスペースが配置されているものとする。
【００５２】
グループ選択部１４ａは、グループを選択する。グループ選択部１４ａは、ホルダ３２、ダイヤル本体３４、操作ダイヤル３５、左ボタン４２Ｂ、右ボタン４２Ｄを有する。グループ選択部１４ａの操作ダイヤル３５の左方を押し下げると左ボタン４２Ｂを押すことになる。また、グループ選択部１４ａの操作ダイヤル３５の右方を押し下げると、右ボタン４２Ｄを押すことになる。左ボタン４２Ｂを押すことは一つ前のグループを選択することに対応し、右ボタン４２Ｄを押すことは一つ後のグループを選択することに対応する。ただし、グループはＡＢＣＤＥの順番であるものとする。例えば、グループＣが選択されている場合に、左ボタン４２Ｂを押せばグループＢが、右ボタン４２Ｄを押せばグループＤが選択される。
【００５３】
リスト情報読出部１１１ａは、選択されたグループに対応し、選択されたグループにおける所定の順番にある特定項目から所定範囲内のリスト情報を読み出す。リスト情報の読み出しを図９を参照して説明する。
【００５４】
図９はグループＣが選択された場合のリスト情報の読み出し例を示している。グループＣに対応する項目はＣ１、Ｃ２、…、Ｃ５である。ここで、所定の順番はグループ内の先頭であるとする。よって、特定項目１１７ｂはＣ１となる。また、所定範囲の始まりは特定項目から３番前（項目Ｂ５）であり、終わりは特定項目から４番後（項目Ｃ５）とする。よって、読み出された読出リスト情報１１７ｃは項目Ｂ５〜項目Ｃ５である。
【００５５】
表示部１３は、グループ表示部１３ａ、リスト表示部１３ｂ、カーソル表示部（特定項目表示手段）１３ｃを有する。表示部１３の表示内容を図１０を参照して説明する。
【００５６】
グループ表示部１３ａは、選択されたグループを表示する。図１０に示す例ではグループＣが選択されている。なお、グループ表示部１３ａは横長にグループ名を表示する。このため、左ボタン４２Ｂ（右ボタン４２Ｄ）を押すことが一つ前（後）のグループを選択することに対応することがわかりやすい。
【００５７】
リスト表示部１３ｂは、リスト情報読出部１１１ａが読み出した読出リスト情報１１７ｃを表示する。
【００５８】
カーソル表示部（特定項目表示手段）１３ｃは、特定項目（項目Ｃ１）にカーソルをあわせて、他の項目と識別可能にして表示する。
【００５９】
カーソル位置決定部１１１ｂは、カーソル表示部１３ｃが表示するカーソルの位置を決定する。図１０の例でいえば、最上行から４行目をカーソルの位置とする。リスト情報読出部１１１ａは、特定項目から３番前からリスト情報を読み出すため、カーソルは特定項目（項目Ｃ１）に重なることになる。
【００６０】
第一スクロール部（識別可能項目変更手段）１４ｂは、ホルダ３２、ダイヤル本体３４、操作ダイヤル３５、上ボタン４２Ａ、下ボタン４２Ｃを有する。グループ選択部１４ａの操作ダイヤル３５の上方を押し下げると上ボタン４２Ａを押すことになる。また、グループ選択部１４ａの操作ダイヤル３５の下方を押し下げると、下ボタン４２Ｃを押すことになる。上ボタン４２Ａ（下ボタン４２Ｃ）を押すことは、カーソルにより識別可能に表示される項目を一つ前（後）の順番の項目に変更することに対応する。すなわち、カーソル位置決定部１１１ｂに、カーソルの位置を１行上（下）に移動させることを指示する。これにより、カーソル表示部１３ｃが表示するカーソルの位置が変更される。
【００６１】
なお、カーソルにより識別可能に表示される項目がリスト表示部１３ｂの上端（下端）に位置した場合は、カーソルにより識別可能に表示される項目が上端（下端）に位置し続けるように読出リスト情報１１７ｃを読み出す。
【００６２】
また、グループ表示部１３ａは、カーソルにより識別可能に表示される項目が対応するグループを表示する。このグループは、リスト情報読出部１１１ａから取得できる。
【００６３】
第一スクロール部１４ｂの動作による表示部１３の表示内容の変化を図１１を参照して説明する。まず、表示部１３の表示内容が図１１（ａ）に示すようなものであるとする。ここで、下ボタン４２Ｃを押すと、カーソル位置決定部１１１ｂに、カーソルの位置を１行下に移動させることを指示する。これにより、カーソル表示部１３ｃが表示するカーソルの位置が１行下にされる（図１１（ｂ）参照）。下ボタン４２Ｃを押すことを繰り返せば、カーソル表示部１３ｃが表示するカーソルの位置がリスト表示部１３ｂの最終行になる（図１１（ｃ）参照）。ここまで、リスト表示部１３ｂが表示する項目は一定であり（項目Ｂ５〜項目Ｃ５）、表示位置も一定である。
【００６４】
図１１（ｃ）の状態で、さらに下ボタン４２Ｃを押すと、項目Ｃ５の次の順番の項目Ｄ１をカーソルにより識別可能に表示することになる。しかし、項目Ｄ１が読出リスト１１７ｃには含まれていないので、項目Ｄ１をリスト表示部１３ｂの下端（８行目）に含むように、リスト情報読出部１１１ａが読出リスト１１７ｃを読み出す。すなわち、リスト情報読出部１１１ａは、第一スクロール部１４ｂから項目Ｄ１を受け、カーソル位置決定部１１１ｂからカーソルが下端（８行目）にあることを受ける。そして、項目Ｄ１が最終の順番になるように、項目Ｄ１から７番前（項目Ｂ６）までをリスト情報読出部１１１ａが読み出す。そして、リスト情報読出部１１１ａが読み出した読出リスト情報１１７ｃを表示する（図１１（ｄ）参照）。ここで、カーソルにより他の項目と識別可能に表示された項目に対応するグループがＣからＤに変化したので、グループ表示部１３ａもＤグループを表示する。
【００６５】
第二スクロール部（特定項目変更手段）１４ｃは、スケール３３、ダイヤル本体３４、操作ダイヤル３５、ブラシ６２Ａ、６２Ｂ、６２Ｃを有する。操作ダイヤル３５を中央ボタン部材３６を回転軸として回転させる。回転量および回転方向は先に説明したように、スケール３３とブラシ６２Ａ、６２Ｂ、６２Ｃとの接触に基づき検出される。時計（反時計）回りに所定量（例えば３０度）回転させることが、特定項目を一つ後（前）の順番の項目に変更することに対応する。
【００６６】
なお、グループ表示部１３ａは、カーソルにより識別可能に表示される特定項目が対応するグループを表示する。このグループは、リスト情報読出部１１１ａから取得できる。
【００６７】
また、第一スクロール部１４ｂと第二スクロール部１４ｃとは操作ダイヤル３５を共有しており、操作ダイヤル３５への操作によりいずれが作動するかが決定される。操作ダイヤル３５の上（下）方を押せば第一スクロール部１４ｂが、操作ダイヤル３５を回転すれば第二スクロール部１４ｃが作動する。
【００６８】
第二スクロール部１４ｃの動作による表示部１３の表示内容の変化を図１２を参照して説明する。まず、表示部１３の表示内容が図１２（ａ）に示すようなものであるとする。ここで、操作ダイヤル３５を反時計回りに３０度回転させると、特定項目が項目Ｃ１から一つ前の項目Ｂ６に変更される。これにより、リスト情報読出部１１１ａは、特定項目から３番前（項目Ｂ３）〜特定項目から４番後（項目Ｃ３）の読出リスト１１７ｃを読み出す。また、カーソルは特定項目Ｂ６に重なる（図１２（ｂ）参照）。ここで、リスト表示部１３ｂに表示される項目は変更されるものの、特定項目の表示位置は上から４行目のままである。すなわち、リスト表示部１３ｂは特定項目の表示位置を一定に保つ。ここで、カーソルにより他の項目と識別可能に表示された特定項目に対応するグループがＣからＢに変化したので、グループ表示部１３ａもＢグループを表示する。
【００６９】
次に、本発明の実施形態の動作を説明する。
【００７０】
図１３は、本発明の実施形態にかかる携帯電話機１の動作を示すフローチャートである。
【００７１】
まず、入力検出部１１５が回転入力部１４に入力があるか否かを判定する（Ｓ１０）。回転入力部１４に入力があれば（Ｓ１０、Ｙｅｓ）、回転検出部１２１および押下検出部１２２により、入力が操作ダイヤル３５の回転か、上（下）ボタン４２Ａ（Ｃ）の押下か、左（右）ボタン４２Ｂ（Ｄ）の押下かが判定される（Ｓ１２）。
【００７２】
左（右）ボタン４２Ｂ（Ｄ）の押下であれば（Ｓ１２、左右）、グループ表示処理（Ｓ１４）、上（下）ボタン４２Ａ（Ｃ）の押下であれば（Ｓ１４、上下）、第一スクロール処理（Ｓ１６）、回転であれば（Ｓ１４、回転）、第二スクロール処理（Ｓ１８）を行う。そして、回転入力部１４への入力の有無の判定（Ｓ１０）に戻る。
【００７３】
なお、回転入力部１４に入力がなければ（Ｓ１０、Ｎｏ）、処理を終了する。
【００７４】
図１４は、グループ表示処理（Ｓ１４）の処理の詳細を示すフローチャートである。まず、グループ選択部１４ａの左（右）ボタン４２Ｂ（Ｄ）の押下によりグループが選択される（Ｓ１４２）。選択されたグループは、グループ選択部１４ａからグループ表示部１３ａに送られて表示される。そして、選択されたグループの先頭の項目がリスト表示部１３ｂに表示されているか否かを、リスト情報読出部１１１ａが判定する（Ｓ１４４）。
【００７５】
選択されたグループの先頭の項目がリスト表示部１３ｂに表示されているならば（Ｓ１４４、Ｙｅｓ）、リスト情報読出部１１１ａは、選択されたグループの先頭の項目の位置をカーソル位置決定部１１１ｂに送る。カーソル位置決定部１１１ｂはこの位置をカーソルの位置とし、カーソル表示部１３ｃがカーソルを選択されたグループの先頭の項目の位置に移動する（Ｓ１４６）。そして、処理を終了する。
【００７６】
選択されたグループの先頭の項目（特定項目）がリスト表示部１３ｂに表示されていないならば（Ｓ１４４、Ｎｏ）、リスト情報読出部１１１ａは、特定項目に基づき読出リスト情報１１７ｃを読み出す（Ｓ１４８）。そして、リスト表示部１３ｂは読出リスト情報１１７ｃを表示する。最後に、カーソル表示部１３ｃが、特定項目にカーソルを移動させて（Ｓ１４９）、他の項目と識別可能にして表示する。そして、処理を終了する。
【００７７】
図１５は、第一スクロール処理（Ｓ１６）の詳細を示すフローチャートである。まず、グループ選択部１４ａの上（下）ボタン４２Ａ（Ｃ）が押下される。すると、カーソルがリスト表示部１３ｂの上（下）端に達しているか否かをリスト情報読出部１１１ａが判定する（Ｓ１６２）。カーソルがリスト表示部１３ｂの上（下）端に達しているならば（Ｓ１６２、Ｙｅｓ）（図１１（ｃ）参照）、カーソルにより識別可能に表示される項目が上端（下端）に位置し続けるようにリスト情報読出部１１１ａが読出リスト情報１１７ｃを読み出す。これにより、表示される項目が１行上（下）にスクロールされることになる（Ｓ１６４ａ：図１１（ｄ）参照）。カーソルがリスト表示部１３ｂの上（下）端に達していないならば（Ｓ１６２、Ｎｏ）（図１１（ａ）参照）、カーソル位置決定部１１１ｂによりカーソルの位置を１行上（下）に移動させる（Ｓ１６４ｂ：図１１（ｂ）参照）。
【００７８】
Ｓ１６４ａ、ｂの処理後、リスト情報読出部１１１ａはカーソルが別グループに移動したか否かを判定する（Ｓ１６６）。移動していないならば（Ｓ１６６、Ｎｏ）、処理を終了する。移動しているならば（Ｓ１６６、Ｙｅｓ）、リスト情報読出部１１１ａは、カーソルの位置するグループをグループ表示部１３ａに送り、グループ表示を変更する（Ｓ１６８：図１１（ｄ）参照）。そして、処理を終了する。
【００７９】
図１６は、第二スクロール処理（Ｓ１８）の詳細を示すフローチャートである。まず、グループ選択部１４ａの操作ダイヤル３５が時計（反時計）回りに所定回転量（例、３０度）回転される。これにより、特定項目が一つ後（前）の順番の項目に変更される。よって、リスト情報読出部１１１ａが読み出す読出リスト情報１１７ｃも一つ後（前）にずれるので、リスト表示部１３ｂにより表示される項目が１行上（下）にスクロールされることになる（Ｓ１８４：図１２（ｂ）参照）。
【００８０】
表示される項目のスクロール（Ｓ１８４）の後、リスト情報読出部１１１ａはカーソルが別グループに移動したか否かを判定する（Ｓ１８６）。移動していないならば（Ｓ１８６、Ｎｏ）、処理を終了する。移動しているならば（Ｓ１８６、Ｙｅｓ）、リスト情報読出部１１１ａは、カーソルの位置するグループをグループ表示部１３ａに送り、グループ表示を変更する（Ｓ１８８：図１２（ｂ）参照）。そして、処理を終了する。
【００８１】
本発明の実施形態によれば、リスト情報読出部１１１ａが、選択されたグループにおける所定の順番（先頭）にある特定項目から所定範囲内（３番前〜４番後）の読出リスト情報１１７ｃを読み出す。これにより、所望のグループに表示範囲を変更することができ、長大なリスト情報１１７ａを閲覧する際に便利である。
【００８２】
しかも、特定項目から所定範囲内のリスト情報は、別々のグループに対応する項目が含まれていることが一般的である。例えば、グループＣの先頭項目が特定項目ならば、グループＢに対応する項目がリスト情報に含まれている。よって、別々のグループ（グループＢ、Ｃ）に対応する項目を同時に表示できる。
【００８３】
さらに、グループを超えたスクロール（第一スクロール、第二スクロール）も可能なので、全項目を一覧することができ、全項目の個数も容易に把握できる。
【００８４】
また、スクロールの形態（第一スクロール、第二スクロール）を、第一スクロール部１４ｂと第二スクロール部１４ｃとが共有する部材である操作ダイヤル３５への操作により切り替えられるので便利である。例えば、表示させたい項目を第二スクロールにより表示させ、その後、第一スクロールによりカーソルをその項目に移動させるようにできる。
【００８５】
なお、本発明の実施形態においては、入力デバイスとして回転入力部１４を使用するようになっている。しかし、入力デバイスとしては周知のジョグダイヤルを用いてもよい。図１７は、ジョグダイヤルを備えた携帯電話機１の斜視図である。
【００８６】
携帯電話機１は、表示部１３、ジョグダイヤル３、左キー４ａ、右キー４ｂを備える。
【００８７】
ジョグダイヤル３は、回転および押下可能な操作素子である。図１８は、ジョグダイヤル３の平面図および側面図である。ジョグダイヤル３は、（１）上に回転させる、（２）下に回転させる、（３）背後に向かって押す、の三種類の動作が可能である。
【００８８】
ジョグダイヤル３を上下に回転させた場合の動作は、操作ダイヤル３５の回転の際の動作と同様である。左キー４ａおよび右キー４ｂを押したときの動作は、左（右）ボタン４２Ｂ（Ｄ）の押下の際の動作と同様である。
【００８９】
また、上記の実施形態は、以下のようにして実現できる。ＣＰＵ、ハードディスク、フラッシュメモリ、メディア（フロッピーディスク、ＣＤ−ＲＯＭ、メモリスティックなど）読み取り装置を備えたコンピュータのメディア読み取り装置に、上記の各部分（例えば、リスト情報読出部１１１ａ、カーソル位置決定部１１１ｂ）を実現するプログラムを記録したメディアを読み取らせて、ハードディスク、フラッシュメモリなどにインストールする。このような方法でも、上記の機能を実現できる。
【００９０】
【発明の効果】
本発明によれば、リスト情報読出手段が、選択されたグループにおける所定の順番にある特定項目から所定範囲内のリスト情報を読出リスト情報として読み出す。特定項目から所定範囲内のリスト情報は、別々のグループに対応する項目が含まれていることが一般的である。よって、別々のグループに対応する項目を同時に表示できる。
【図面の簡単な説明】
【図１】本発明を適用した携帯電話機１の外観の構成例を示す図である。
【図２】回転入力部１４の分解斜視図である。
【図３】ホルダ３２の裏面を示す斜視図である。
【図４】スケール３３がダイヤル本体３４に固定された状態を示す斜視図である。
【図５】回転入力部１４の斜視図である。
【図６】本発明を適用した携帯電話機１の内部の構成例を示すハードウェアブロック図である。
【図７】本発明の実施形態にかかる携帯電話機（携帯情報通信端末）１の機能ブロック図である。
【図８】リスト情報１１７ａの一例を示す図である。
【図９】リスト情報の読み出しを説明する図である。
【図１０】表示部１３の表示内容を説明する図である。
【図１１】第一スクロール部１４ｂの動作による表示部１３の表示内容の変化を示す図である。
【図１２】第二スクロール部１４ｃの動作による表示部１３の表示内容の変化を示す図である。
【図１３】本発明の実施形態にかかる携帯電話機１の動作を示すフローチャートである。
【図１４】グループ表示処理（Ｓ１４）の処理の詳細を示すフローチャートである。
【図１５】第一スクロール処理（Ｓ１６）の詳細を示すフローチャートである。
【図１６】第二スクロール処理（Ｓ１８）の詳細を示すフローチャートである。
【図１７】ジョグダイヤルを備えた携帯電話機１の斜視図である。
【図１８】ジョグダイヤル３の平面図および側面図である。
【図１９】従来技術におけるメニュー構造を採用した場合の情報の表示態様を示す図である。
【符号の説明】
１　携帯電話機（携帯情報通信端末）
１３　表示部
１３ａ　グループ表示部
１３ｂ　リスト表示部
１３ｃ　カーソル表示部（特定項目表示手段）
１４ａ　グループ選択部
１４ｂ　第一スクロール部（識別可能項目変更手段）
１４ｃ　第二スクロール部（特定項目変更手段）
３５　操作ダイヤル（共有部材）
１１１ａ　リスト情報読出部
１１１ｂ　カーソル位置決定部
１１７　メモリ
【図１】
2004021893.tif 000003
【図２】
2004021893.tif 000004
【図３】
2004021893.tif 000005
【図４】
2004021893.tif 000006
【図５】
2004021893.tif 000007
【図６】
2004021893.tif 000008
【図７】
2004021893.tif 000009
【図８】
2004021893.tif 000010
【図９】
2004021893.tif 000011
【図１０】
2004021893.tif 000012
【図１１】
2004021893.tif 000013
【図１２】
2004021893.tif 000014
【図１３】
2004021893.tif 000015
【図１４】
2004021893.tif 000016
【図１５】
2004021893.tif 000017
【図１６】
2004021893.tif 000018
【図１７】
2004021893.tif 000019
【図１８】
2004021893.tif 000020
【図１９】
2004021893.tif 000021